(57)【要約】【課題】モジュール内部の構造を簡素化し、製造プロセスの最小化と、コストの削減を図ることができるコネクタモジュールを提供する。【解決手段】本発明のコネクタモジュールは、本体１１と、前記本体１１に設置されたスライダー１４と、前記本体１１に接続され、前記スライダー１４をスライドさせるホルダー１２と、前記スライダー１４に接続されたフック部１３と、前記フック部１３に接触した弾性部材１５と、を含み、前記ホルダー１２の動作によって、前記フック部１３を本体１１の内側と外側にスライドするように構成される。【選択図】図１Ａ
2006343729.tif 000002
【特許請求の範囲】
【請求項１】
本体と、
前記本体に設置されたスライダーと、
前記本体に接続され、前記スライダーをスライドさせるホルダーと、
前記スライダーに接続されたフック部と、
前記フック部に接触した弾性部材と、を含み、
前記ホルダーの動作によって、前記フック部を前記本体の内側と外側にスライドするように構成したコネクタモジュール。
【請求項２】
前記スライダーは、第１の係合部を更に含み、前記ホルダーは、前記係合部と係合して、前記スライダーを動かしスライドさせる第２の係合部を有する請求項１に記載のコネクタモジュール。
【請求項３】
前記フック部は、前記スライダーを受け入れる孔を更に有する請求項１に記載のコネクタモジュール。
【請求項４】
前記本体は、凹溝を更に有し、前記フック部は、前記凹溝に対応する凹部を有し、この凹溝と凹部の間に形成された収容空間に前記弾性部材を設けると共に、前記弾性部材の一端は、前記凹溝の底面に接触し、前記弾性部材の他端は、前記フック部に接触する請求項１に記載のコネクタモジュール。
【請求項５】
前記フック部は、前記弾性部材に接触する溝孔を更に有する請求項４に記載のコネクタモジュール。
【請求項６】
前記スライダーは、前記フック部の位置をシフトする斜面を有し、前記凹溝と前記凹部との間の距離を変える請求項４に記載のコネクタモジュール。
【請求項７】
前記本体の内部には、少なくとも一つの制御器を更に有する請求項１に記載のコネクタモジュール。
【請求項８】
前記本体を収容する開口を有するケーシングを更に含み、前記フック部によって、前記本体と前記ケーシングとの取り付けと取り外しをする請求項１に記載のコネクタモジュール。
【請求項９】
前記本体は、前記ホルダーを受け入れる少なくとも一つの貫通孔を更に有する請求項１に記載のコネクタモジュール。
【請求項１０】
前記スライダーまたはフック部の材料は、プラスチック，金属，合金，ステンレススチール，またはセラミックの中から選択される請求項１に記載のコネクタモジュール。
【請求項１１】
前記弾性部材は、バネである請求項１に記載のコネクタモジュール。
【請求項１２】
少なくとも一つの制御器，および前記本体に対応したプラグを受ける少なくとも一つの受け孔を有する本体と、
前記本体を収容する開口を有するケーシングと、
前記本体に設置されたスライダーと、
前記本体に接続され、前記スライダーをスライドさせるホルダーと、
前記スライダーに接続されたフック部と
前記フック部に接触した弾性部材と、を含み、
前記ホルダーの動作によって、前記フック部を前記本体の内側と外側にスライドするように構成したコネクタモジュール。
【発明の詳細な説明】
【技術分野】
【０００１】
本発明は、コネクタモジュールに関し、特に、光ファイバ伝送マルチソース協定（Ｘ２  ＭＳＡ）に準拠するコネクタモジュールに関するものである。
【背景技術】
【０００２】
現在のコネクタシステム、特に、光ファイバの通信ネットワークに用いられるコネクタシステムでは、光学トランシーバモジュールが、伝送線路とホスト間の接続インターフェースとして機能する。このような光モジュールの一例としては、例えば特許文献１に示すものが知られている。実際には、光学トランシーバモジュールは、限られた使用空間で最大の接続数を得られることが望ましい。また、光学トランシーバモジュールそのものも、ホストをシャットダウンすることなく、ユーザーがモジュールを交換できるような、ホットスワッピングを提供できなければならない。こうしたモジュールにおける性能要求の標準に適い、且つ、モジュールの共通規格を定めるために、２００２年７月、一流光学部品供給業者によりＸ２光ファイバ伝送に関するスモールフォームファクタ１０ギガビット／ｓトランシーバのマルチソース協定（ＭＳＡ）が取り決められた。
【０００３】
ＭＳＡに基づいたモジュールは、同じ物理サイズを有するべきである。しかし、各供給業者は、容易な製造と低コストの目的を達成するために、モジュール内部の構造及び機構の簡素化と製造プロセスの最小化に取り組んでいる。
【特許文献１】特開２００３−３０４２０７号公報
【発明の開示】
【発明が解決しようとする課題】
【０００４】
よって、本発明は、モジュール内部の構造を簡素化し、製造プロセスの最小化と、コストの削減を図ることができるコネクタモジュールを提供する。
【課題を解決するための手段】
【０００５】
よって、ユーザーにスライド構造を用いた通信装置を提供するために、本発明は本体と、本体に接続したホルダーとを備え、ホルダーに係合したスライダーを設計する。スライダーは、フック部に嵌め込まれ、ホルダーに力が加わった時、ホルダーが間接的にスライダーを介してフック部を本体の内側と外側にスライドさせるように動かし、それにより本体とケーシングとの取り付けと取り外しを容易に行うことができる。
【発明の効果】
【０００６】
本発明のコネクタモジュールは、モジュール内部の構造を簡素化することによって、製造プロセスの最小化と、コストの削減を図ることが可能になる。また、モジュールの本体は、モジュールのケーシングに対する取り付けと取り外しが容易にできるため、ユーザーは、最小限の力で本体とケーシングの組み立てと分解が可能になる。
【発明を実施するための最良の形態】
【０００７】
本発明についての目的，特徴，長所が一層明確に理解されるよう、以下に実施形態を例示し、図面を参照にしながら、詳細に説明する。
【実施例】
【０００８】
本発明のコネクタモジュールは、可動可能なホルダーを用いて、突出部としてのフック部１３を本体１１の内側と外側にスライドすることで、本体とケーシングの取り付けと取り外しを行う。
【０００９】
図１Ａを参照すると、ここでは本発明の実施例１におけるコネクタモジュールを表している。コネクタモジュールは、光学トランシーバモジュール１００であり、これは本体１１と、ホルダー１２と、突出したフック部１３とを含む。ホルダー１２を動かすことによって、フック部１３を本体１１の内側と外側にスライドすることができる。
【００１０】
図１Ｂは、図１Ａの分解図を表している。光学トランシーバモジュール１００は、スライダー１４と、好ましくは伸縮するバネである弾性部材１５と、制御器１６と、少なくとも一つの光電変換素子１７と、少なくとも一つのグリッパー１８とを含む。本体１１は、ベース１１１と、第１カバー１１２と、第２カバー１１３とにより構成される。これらの組み立て順序は、先ず、光電変換素子１７とグリッパー１８をベース１１１に設置し、第２カバー１１３とベース１１１を接続することで、本体１１に少なくとも一つの貫通孔１１１３を形成する。ホルダー１２を貫通孔１１１３に受け入れて嵌め込み、本体１１と接続する。次に、スライダー１４をフック部１３の孔１３１に受け入れて嵌め込み、それらをベース１１１の上に配置する。スライダー１４は、ホルダー１２の第２の係合部としての係合溝１２１に係合した第１の係合部としての係合部１４１を有し、ホルダー１２がスライダー１４を動かしスライドさせる。ベース１１１は、凹溝１１１１を更に有し、フック部１３は、凹溝１１１１に対応する凹部１３２を更に有し、凹溝１１１１と凹部１３２の間は、弾性部品１５を受け入れるための収容空間１１１２を形成する。特に、弾性部材１５の一端は、凹溝１１１１の底面に接触し、弾性部材１５の他端は、フック部１３の凹部１３２に形成した溝孔１３３に接触する。よって、ホルダー１２に力が加わった時、スライダー１４の斜面１４２を用いてフック部１３の位置と弾性部品１５をシフトし、凹溝１１１１と凹部１３２との間の距離を変える。最後に、制御器１６を光電変換素子１７に接続した後、第１カバー１１２をベース１１１に接続する。ここでは第１カバー１１２とベース１１１が、ネジ１１２１で繋ぎ合わされるが、それに限定するものではない。
【００１１】
スライダー１４の材料は、プラスチック，金属，合金，ステンレススチール，またはセラミックの中から選ぶことができる。フック部１３の材料は、プラスチック，金属，合金，ステンレススチール，またはセラミックの中から選ぶことができ、弾性部品１５は、バネであることができる。
【００１２】
図１Ｃと図１Ｄを参照すると、ここでは本発明の光学トランシーバモジュール１００の断面図を表している。図１Ｃに示すように、ホルダー１２が第１位置にある時、フック部１３は、本体１１の外側に突出する。図１Ｄに示すように、ホルダー１２が第２位置にある時、ユーザーがホルダー１２に対し外方に加えた力によって、ホルダー１２がスライダー１４をスライドさせて動かし、それと同時にスライダー１４の斜面１４２とフック部１３との当接位置が変わって、弾性部品１５を圧縮することから、フック部１３をスライドし、凹溝１１１１と凹部１３２の間の距離を変える。この時、フック部１３は、本体１１の内側にあって、本体１１から突出していない。
【００１３】
図２Ａと図２Ｂを参照すると、ここでは本発明の実施例２におけるコネクタモジュールを表している。コネクタモジュールは、光学トランシーバモジュール２００であり、本実施例では、実施例１と同じ部品は、同一の符号を用いている。前記実施例１との違いは、光学トランシーバモジュール２００は、例えば回路基板などの少なくとも一つの回路板２０と、ケーシング２１とを更に含み、ケーシング２１は、本体１１を収容できる開口２１１を有する。より詳細には、本体１１は少なくとも一つの受け孔２２を備えており、この受け孔２２が本体１１に対応した図示しない外部装置のプラグと係合するようになっている。そして、図２Ａに示すように、ホルダー１２が第２位置にある時、フック部は、本体１１の外側に突出しておらず、この時、ユーザーは、本体１１をケーシング２１の外側と内側に動かすことができる。図２Ｂに示すように、ホルダー１２が第１位置にある時、フック部が本体１１の外側に突出され、本体１１はケーシング２１に接続され、プリント回路板２０に対して電気的に接続される。ホルダー１２とフック部１３の動きによって、本体１１とケーシング２１の取り付けと取り外しが可能となる。
【００１４】
本発明のコネクタモジュールは、光学トランシーバモジュールまたは電気トランシーバモジュールとすることができる。
【００１５】
また、本発明のコネクタモジュールは、単一のケーシングまたは複数のケーシングの何れか一方によって、外部プリント回路板に接続されることができる。
【００１６】
このように、本発明のコネクタモジュールは、モジュール内部の構造を簡素化することによって、製造プロセスの最小化と、コストの削減を図ることが可能になる。また、モジュールの本体１１は、モジュールのケーシング２１に対する取り付けと取り外しが容易にできるため、ユーザーは、最小限の力で本体１１とケーシング２１の組み立てと分解が可能になる。
【００１７】
以上、本発明の好適な実施例を例示したが、これは本発明を限定するものではなく、本発明の精神及び範囲を逸脱しない限りにおいては、当業者であれば行い得る少々の変更や同様の装置を付加することは可能である。従って、本発明が保護を請求する範囲は、特許請求の範囲を基準とする。
【図面の簡単な説明】
【００１８】
【図１Ａ】本発明の実施例１におけるコネクタモジュールの概略図を表している。
【図１Ｂ】図１Ａに示す本発明のコネクタモジュールの分解図を表している。
【図１Ｃ】図１Ａに示す本発明のコネクタモジュールの断面図である。
【図１Ｄ】図１Ａに示す本発明のコネクタモジュールの断面図である。
【図２Ａ】本発明の実施例２におけるコネクタモジュールの概略図を表している。
【図２Ｂ】本発明の実施例２におけるコネクタモジュールの概略図を表している。
【符号の説明】
【００１９】
１００，２００  光学トランシーバモジュール
１１  本体
１１１  ベース
１１１１  凹溝
１１１２  収容空間
１１１３  貫通孔
１１２  第１カバー
１１２１  ネジ
１１３  第２カバー
１２  ホルダー
１２１  係合溝（第２の係合部）
１３  フック部
１３１  孔
１３２  凹部
１３３  溝孔
１４  スライダー
１４１  係合部（第１の係合部）
１４２  斜面
１５  弾性部品
１６  制御器
１７  光電変換素子
１８  グリッパー
２０  回路板
２１  ケーシング
２２  受け孔
２１１  開口
【図１Ａ】
2006343729.tif 000003
【図１Ｂ】
2006343729.tif 000004
【図１Ｃ】
2006343729.tif 000005
【図１Ｄ】
2006343729.tif 000006
【図２Ａ】
2006343729.tif 000007
【図２Ｂ】
2006343729.tif 000008